(57)【特許請求の範囲】
【請求項１】
長手方向の両端にそれぞれ先端及び基端を有して合成樹脂により一体成形されたステムと、該ステムの基端部に結合された把持部とを備えていて、
上記ステムは、曲面により形成された先端を含む所定の長さの先端部を有し、
該先端部が、上記ステムの表面全体を露出させて成り該表面を直接瞼に当接させるための操作部として形成され、
該操作部よりも上記基端部側に位置する上記ステムの外周面には、二重瞼形成溶液を含浸させて瞼に塗布するための含浸部が設けられており、
さらに、上記ステムは、上記基端部よりも先端側において、上記含浸部を瞼に押し当てることにより弾性的に撓む可撓性を有している、
ことを特徴とする二重瞼形成溶液用アプリケータ。
【請求項２】
上記ステムは、上記基端部よりも先端側において、該先端に向けて細くなるテーパー状に形成されている、
ことを特徴とする請求項１に記載の二重瞼形成溶液用アプリケータ。
【請求項３】
上記ステムは直線状に形成されている、
ことを特徴とする請求項１又は請求項２に記載の二重瞼形成溶液用アプリケータ。
【請求項４】
上記ステムは円形の横断面を有し、その先端が球面により形成されている、
ことを特徴とする請求項１に記載の二重瞼形成溶液用アプリケータ。
【請求項５】
上記ステムは低密度ポリエチレンにより形成されている、
ことを特徴とする請求項１〜４の何れかに記載の二重瞼形成溶液用アプリケータ。
【請求項６】
上記含浸部は、フロッキング、スポンジ、若しくは上記ステムの外周面に周方向に形成された含浸溝、又は、それら２つ以上の組合せから成る、
ことを特徴とする請求項１〜５の何れかに記載の二重瞼形成溶液用アプリケータ。
【請求項７】
請求項１〜６に記載の二重瞼形成溶液用アプリケータの把持部が、二重瞼形成溶液を収容するボトルに対し着脱可能なキャップとして形成されていて、上記ステムが該ボトル内に配置されている、
ことを特徴とする二重瞼形成溶液用容器。
【発明の詳細な説明】
【技術分野】
【０００１】
本発明は、二重瞼形成用接着剤等、二重瞼の形成に用いられる溶液状の化粧料を瞼の皮膚に塗布するためのアプリケータ、及びそのアプリケータを備えた二重瞼形成溶液用容器に関するもので、より具体的には、二重瞼の襞を形成する位置すなわち瞼に溶液を塗布する位置を確認したり、溶液の塗布後に二重瞼を整えたり等するための操作部を一体に備えた二重瞼形成溶液用アプリケータ、及びそのアプリケータを備えた二重瞼形成溶液用容器に関するものである。
【背景技術】
【０００２】
二重瞼の形成に用いられる溶液状の化粧料としては、特許文献１、特許文献２及び特許文献３に記載されたものが既に知られており、主として、瞼の皮膚上に塗布して皮膚同士を接着させることにより二重瞼の襞を形成するものと、瞼の皮膚上に塗布して該瞼の皮膚よりも硬質な塗膜を形成し、瞼を開いた際に該塗膜の上縁に沿って皮膚を折り畳ませることにより、二重瞼の襞を形成するものとに分類することができる。また、特許文献４においては、瞼の皮膚上に形成した塗膜の収縮性を利用して二重瞼の襞を形成することも提案されている。
【０００３】
ところで、一般的に、上述のような溶液状の二重瞼形成用化粧品には、スティックとアプリケータとが個別に同梱されている。そして、二重瞼を形成するにあたっては、まず、スティックの先端を瞼に押し当てて、二重瞼の襞を形成する位置すなわち溶液を塗布する位置を確認し、次に、溶液を含浸させたアプリケータを用いて、確認した瞼の塗布位置に該溶液を塗布し、続いて、再度上記スティックを使用して二重瞼の形を整えるという一連の操作を必要とする。
ところが、上述のように、従来のものにおいては、上記アプリケータとスティックとが別体となっているため、各操作の度にそれらを持ち替える必要性があるなど作業が煩雑になりがちであった。
【先行技術文献】
【特許文献】
【０００４】
【特許文献１】特開２００７−１０６７１１号公報
【特許文献２】特開平１１−１７１７２８号公報
【特許文献３】特公平０６−０６２３８４号公報
【特許文献４】ＷＯ２０１０／０８７３６５号公報
【発明の概要】
【発明が解決しようとする課題】
【０００５】
本発明の技術的課題は、二重瞼の襞を形成する位置の確認、溶液の塗布、及び二重瞼の形の調整などといった、溶液を用いて二重瞼を形成する一連の操作を、一体となった一つの器具で行うことができ、各操作を複数の器具を持ち替えて行う煩雑さを解消して操作性を向上させることが可能な二重瞼形成溶液用アプリケータ、及びそのアプリケータを備えた二重瞼形成溶液用容器を提供することにある。
【課題を解決するための手段】
【０００６】
上記課題を解決するために、本発明に係る二重瞼形成溶液用アプリケータは、長手方向の両端にそれぞれ先端及び基端を有して合成樹脂により一体成形されたステムと、該ステムの基端部に結合された把持部とを備えていて、上記ステムは、曲面により形成された先端を含む所定の長さの先端部を有し、該先端部が、上記ステムの表面全体を露出させて成り該表面を直接瞼に当接させるための操作部として形成され、該操作部よりも上記基端部側に位置する上記ステムの外周面には、二重瞼形成溶液を含浸させて瞼に塗布するための含浸部が設けられており、さらに、上記ステムは、上記基端部よりも先端側において、上記含浸部を瞼に押し当てることにより弾性的に撓む可撓性を有していることを特徴としている。
【０００７】
本発明に係る二重瞼形成溶液用アプリケータの好ましい実施形態によれば、上記ステムは、上記基端部よりも先端側において、該先端に向けて細くなるテーパー状に形成されている。また、上記ステムは直線状に形成されており、上記ステムは円形の横断面を有し、その先端が球面により形成されている。さらに、上記ステムは低密度ポリエチレンにより形成されており、上記含浸部は、フロッキング、スポンジ、若しくは上記ステムの外周面に周方向に形成された含浸溝、又は、それら２つ以上の組合せから成っている。
そして、本発明によれば、上記把持部が、二重瞼形成溶液を収容するボトルに対し着脱可能なキャップとして形成されていて、上記ステムが該ボトル内に配置されている二重瞼形成溶液用容器が提供される。
【発明の効果】
【０００８】
本発明によれば、二重瞼の襞を形成する位置の確認、溶液の塗布、及び二重瞼の形の調整などといった、溶液を用いて二重瞼を形成する一連の操作を、操作部と含浸部とが一体となった一つの器具で行うことができるので、各操作の度毎に器具を持ち替える煩雑さを解消して操作性を向上させることができる。また、ステムが、その外周面に設けられた含浸部を瞼に押し当てることにより、弾性的に撓むように構成されているため、二重瞼の襞を形成したい瞼上のラインに対し、溶液を簡単な操作で正確に塗布することができ、綺麗な二重瞼を容易に形成することが可能となる。
【図面の簡単な説明】
【０００９】
【図１】本発明に係る二重瞼形成溶液用アプリケータを備えた容器の半断面図である。
【図２】本発明に係る二重瞼形成溶液用アプリケータの要部拡大断面図である。
【図３】本発明に係る二重瞼形成溶液用アプリケータを用いて二重瞼を形成する一連の操作を示す説明図である。（ａ）は二重瞼の襞を形成する位置を確認している状態を示す。（ｂ）は含浸部に含浸させた二重瞼形成溶液を瞼に塗布している状態を示す。（ｃ）は二重瞼の形を整えている状態を示す。
【発明を実施するための形態】
【００１０】
以下、図面を用いて、本発明に係る二重瞼形成溶液用アプリケータ１Ａ及び該アプリケータ１Ａを備えて成る二重瞼形成溶液用容器１の構成をより具体的に説明する。
図１及び図２に示すように、二重瞼形成溶液用アプリケータ１Ａは、合成樹脂により一体成形されて長手方向の両端にそれぞれ先端１０ａ及び基端１０ｂを有する軸状のステム１０と、該ステム１０の基端１０ｂを含む基端部１３に結合された把持部４０とを備えている。そして、上記ステム１０は、上記基端部１３と該基端部１３よりも先端１０ａ側の部分全体から成るステム本体１４とにより構成されており、さらに、該ステム本体１４には、後に詳述する操作部１１と含浸部１２とが設けられている。
なお、本実施形態においては、上記アプリケータ１Ａの把持部４０が、二重瞼形成溶液を収容するためのボトル１Ｂに対して着脱可能なキャップとして形成されている。すなわち、上記容器１は、ボトル１Ｂと、該ボトル１Ｂのキャップを兼ねる把持部４０を備えたアプリケータ１Ａとにより構成されている。ただし、必ずしも把持部４０がボトル１Ｂのキャップを兼ねている必要性はない。
【００１１】
上記ステム１０の先端１０ａを含む先端部は、その表面全体が露出していて、二重瞼の襞を形成する位置を確認したり、二重瞼の形を整えたり等する際に、該ステム１０の表面を直接瞼に当接させて操作するための操作部１１を形成している。また、該操作部１１よりも基端部１３側に位置するステム１０の外周面には、二重瞼形成溶液を含浸させて瞼に塗布するための含浸部１２が設けられている。具体的には、該含浸部１２は、上記操作部１１の基端部１３側に隣接させて設けられている。
上記ステム１０は、軸方向全体に亘って直線状を成しており、円形の横断面を有している。そして、上記ステム１０の先端１０ａすなわち操作部１１の先端は、上述のように直接瞼に当接させる部位であるため、安全を考慮して一つの凸状曲面、好ましくは、ステム１０の外周面に対し滑らかに連続する球面により形成されている。
【００１２】
上記ステム１０の基端部１３には、把持部４０に対し嵌合状態で係止させるため、複数の凸部１３ａ，１３ｂが形成されている。そして、基端部１３から先端１０ａ側に延びるステム１０の上記ステム本体１４は、弾性的な可撓性を有していて、特に含浸部１２を瞼に押し当てることにより弓形に撓んだ状態に湾曲するようになっている。そのため、撓みによる弾性力を利用して、瞼に対し含浸部１２を効率的且つ正確に押し当てて溶液を塗布することが可能となる。さらに、ステム本体１４における上記含浸部１２が周設された部分は、含浸部１２と基端部１３との間に位置するステム表面が露出している部分に比べて若干曲げ剛性が大きくなるため、撓みの曲率は若干小さくなる。そのため、含浸部１２の長手方向の略全体を瞼の皮膚に押し当てた状態での塗布作業が可能となる。
ここで、上記ステム本体１４は、その全体が先端１０ａに向けて細くなるテーパー状に形成されていることが望ましい。また、上記ステム１０を形成する好ましい材料としては低密度ポリエチレンが挙げられるが、特にそれに限定されるものではない。
【００１３】
上記ステム１０の含浸部１２は、該ステム１０の全周を被覆するフロッキング（植毛）から成っている。上記フロッキングは二重瞼形成溶液を含浸させるためのものであり、その毛長は０．３ｍｍ程度であることが望ましい。上記フロッキングの繊維材質としては、ナイロン、レーヨン、アクリル、シルク、ポリエステル、ポリブチレンテレフタレート、ポリプロピレン、アラミド（ポリアミド）、ジュート繊維（黄麻）、ナノ繊維、ＰＥＴ、綿粉等が好適に用いられる。また、この含浸部１２の厚さは、特に限定されるものではないが、ステム１０の径よりも十分に小さく且つ全体的に略均一であることが望ましい。なお、上記含浸部１２としては、上記フロッキングの他、スポンジ、若しくは上記ステム１０の外周面に周方向に形成された含浸溝、又はそれら２つ以上の組み合わせから成るものであっても良い。
【００１４】
ここで、より具体的な実施形態においては、例えば、上記操作部１１の長さ、すなわちステム１０の先端１０ａから含浸部１２との境界までの長さは１．６ｍｍ程度にすることができる。また、上記含浸部１２の上記ステム１０の長さは１６ｍｍ程度にすることができる。また、上記ステム１０の基端部１３より先端１０ａ側の長さ、すなわちステム本体１４の長さを２６．３ｍｍ程度とした場合、該ステム本体１４における基端部１３側端の径が１．５ｍｍ程度で、上記先端１０ａを形成する球面の径が１．０ｍｍ程度にすることができる。ただし、これらの寸法に限定されるものではない。
【００１５】
一方、上記把持部４０は、上記ステム１０を固定的に保持すると共に二重瞼形成溶液を収容するためのボトル１Ｂと螺合するように構成された内キャップ２０と、該内キャップ２０を内側に固定的に嵌合させて、使用者が直接手で持ってアプリケータ１Ａを操作するための外キャップ３０とから構成されている。
【００１６】
上記内キャップ２０は、例えばポリプロピレン等の合成樹脂により一体成形されたもので、内周面にネジが形成された筒状部２１と、該筒状部２１の上端側を閉塞する天板部２２と、該天板部２２の中心から垂下され上記筒状部２１の下端を超えて下方に延びる軸部２３を有している。そして、該軸部２３にはその先端（下端）に開口する嵌合孔２４が設けられており、該嵌合孔２４内に上記ステム１０の基端部１３を嵌合させ、該基端部１３の外周面に周設された複数の凸部１３ａ，１３ｂを該嵌合孔２４の内周面に係合させている。
【００１７】
上記外キャップ３０はデザイン性の観点から、縦方向に長く、その外面は下端から上端に向けて径が縮小する曲面により形成されている。また、該外キャップ３０は、例えばポリプロピレン等の合成樹脂により一体成形されていて、上端が閉塞され下端が開口する中空体となっている。そして、該外キャップ３０の下端開口部の内面には、上記内キャップ２０の筒状部２１を該下端開口部から嵌合させて固定するための、嵌合溝３１が周設されている。このとき、該嵌合溝３１の上下幅は、上記筒状部２１の高さと略等しくなっていて、該筒状部２１の下端と上記外キャップ３０の下端とが一致するようになっている。
【００１８】
二重瞼形成溶液を収容するための上記ボトル１Ｂは、例えばポリプロピレン等の合成樹脂により一体成形され上端部に筒状開口部５１を有するボトル本体５０と、例えばＮＢＲ（ニトリルゴム）等の合成ゴムにより一体成形され上記筒状開口部５１の内周面に嵌着された筒状のインナーパッキン６０とにより構成されている。
上記ボトル本体５０においては、その外面が上記外キャップ３０の外面と連続し下端に向けて径が縮小する曲面により形成されている。そして、上記筒状開口部５１の外周面には上記アプリケータ１Ａの内キャップ２０と螺合させるためのネジが形成されている。なお、上記ボトル本体５０の外面の上部には、ボトルの転がりを防止するための突起５２が９０度間隔で設けられている。
【００１９】
上記インナーパッキン６０は、その上端部が外方に拡開していて上記筒状開口部５１の上端を覆っており、上記アプリケータ１Ａをボトル１Ｂに装着した際に、上記内キャップ２０の天板部２２の内面に圧接され液漏れを防止するようになっている。
また、該インナーパッキン６０の内周面には斜め下方に突設されて通路径を絞るしごき片６１が周設されている。そして、上記アプリケータ１Ａをボトル１Ｂに装着した際には、図１に示すように、上記インナーパッキン６０のしごき片６１が内キャップ２０の軸部２３の外周面に圧接することにより、液漏れを防止することができる。このとき、上記ステム１０の先端１０ａとボトル１Ｂの底面との間に若干の間隔が保たれ、ステム１０に曲がり癖がつかないようになっている。
【００２０】
一方、上記ボトル１Ｂから上記アプリケータ１Ａを取り外す際には、まず、上記インナーパッキン６０のしごき片６１が、上記内キャップ２０の軸部２３外周面に摺接しながら、該軸部２３に付着した溶液を全てしごき落としていく。そして、次に、ステム１０のステム本体１４がしごき片６１に差し掛かるが、ステム本体１４及び含浸部１２の径は、しごき片６１の内端の径よりも若干細く、しごき片６１が全周に亘って当接しない。そのため、必要に応じて、ステム本体１４の外周面に付着した溶液等、液だれの原因となる不必要な溶液を、該しごき片６１に摺接させてしごき落としながら、該ステム本体１４をボトル１Ｂから引き抜いていく。
【００２１】
以上、本発明に係る二重瞼形成溶液用アプリケータを、図１及び図２を参照しながら説明した。しかし、本発明に係る二重瞼形成溶液用アプリケータは、上記の図１及び図２に示される実施形態に限定されるものではない。例えば、本発明に係る二重瞼形成溶液用アプリケータでは、上記把持部４０は上記ステム１０の基端部に結合されていれば良く、上記把持部４０と上記ステム１０の結合の態様は上記の図１及び図２に示される実施形態に限定されるものではない。例えば、上記把持部４０と上記ステム１０とが一体に成形されていても良い。
また、上記ステム１０のステム本体１４は、必ずしも直線状である必要性はなく、例えば、ステム本体１４の曲げ剛性等に応じて、若干湾曲した状態に形成されていても良い。
【００２２】
次に、上記二重瞼形成溶液用アプリケータ１Ａを用いて二重瞼を形成するための一連の操作を、図３を参照して説明する。ただし、該アプリケータ１Ａの使用方法は、以下に述べる方法に必ずしも限定されるものではない。
まず、図３（ａ）に示されるように、目を開けた状態で、瞼の上に上記アプリケータ１Ａのステム１０の操作部１１の先端１０ａを、図中の矢印のように押し当てながら、二重瞼の襞を形成するラインを確認する。
【００２３】
次に、図３（ｂ）に示されるように、薄目を開けた状態で、図３（ａ）の工程において確認した二重瞼の襞を形成するライン上に、上記ステム１０の含浸部１２を押し当てて、該ステム１０のステム本体１４を弓形に撓ませながら、図中の矢印のようにスライドさせることにより二重瞼形成溶液を塗布する。
ところで、二重瞼形成溶液としては、主として、瞼の皮膚同士を接着させることにより二重瞼の襞を形成するタイプ（以下「接着タイプ」という。）と、瞼の皮膚上に塗布して該瞼の皮膚よりも硬質な塗膜を形成し、瞼を開いた際に該塗膜の上縁に沿って皮膚を折り畳ませることにより、二重瞼の襞を形成するタイプ（以下「塗膜タイプ」という。）と、瞼の皮膚上に形成した塗膜の収縮性を利用して二重瞼の襞を形成するタイプ（以下「収縮タイプ」という。）とが考えられる。
【００２４】
そこで、溶液が上記「接着タイプ」である場合には、塗布した溶液が乾燥し始めて粘性を示すようになったら、図３（ｃ）に示すように、溶液を塗布した二重瞼のラインに沿って、操作部１１の先端１０ａで、図中の矢印の方向に瞼の皮膚を押し込みながら瞼の皮膚同士を接着させ二重瞼の襞を形成すると同時に、二重瞼全体の形を整える。
また、溶液が上記「塗膜タイプ」又は「収縮タイプ」の場合には、塗布した溶液が乾くのを待って、図３（ｃ）に示すように、特に目頭と目尻の部分を中心に操作部１１の先端１０ａを押し当てながら二重瞼全体の形を整える。
【００２５】
以上、本発明に係る二重瞼形成溶液用アプリケータ及び容器について詳細に説明してきたが、本発明は上記実施形態に限定されるものではなく、本発明の要旨を逸脱しない範囲において、様々な設計変更が可能であることは言うまでもない。
【符号の説明】
【００２６】
１      二重瞼形成溶液用容器
１Ａ    二重瞼形成溶液用アプリケータ
１Ｂ    ボトル
１０    ステム
１０ａ  先端
１０ｂ  基端
１１    操作部
１２    含浸部
１３    基端部
１４    ステム本体
２０    内キャップ
２１    筒状部
２２    天板部
２３    軸部
２４    嵌合孔
３０    外キャップ
４０    把持部
５０    ボトル本体
６０    インナーパッキン
【図１】
0006053290.tif 000002
【図２】
0006053290.tif 000003
【図３】
0006053290.tif 000004